(57)【要約】【課題】バー部材の内面側での帯水を防止し、バー部材及びバー部材に固定された取り付け金具の腐食損傷を防止することが可能な建築用バー部材、及びこれを備える天井下地材を提供すること。【解決手段】バー部材２の底板２ａまたは側板２ｂに、水抜き穴２ｇを形成することで、バー部材２の内側に水が進入した場合であっても、水抜き穴２ｇを好適に排水させる。これにより、バー部材２の内側における帯水を防止し、バー部材２およびこれに固定された取り付け金具の腐食損傷を防止させる。【選択図】図１
0003139913.tif 000002
【実用新案登録請求の範囲】
【請求項１】
建築物の壁または天井の鋼製下地材に使用されるバー部材であって、
下側に配置される底板と、
前記底板から上方へ立設された側板とを備え、
少なくとも前記底板または前記側板の一方には、水抜き穴が形成されていることを特徴とする建築用バー部材。
【請求項２】
前記水抜き穴は、前記底板と前記側板とのコーナー部に形成されていることを特徴とする請求項１記載の建築用バー部材。
【請求項３】
前記水抜き穴は、前記側板の長手方向に沿って、等間隔で複数形成されていることを特徴とする請求項１又は２に記載の建築用バー部材。
【請求項４】
請求項１〜３の何れか一項に記載の建築用バー部材である野縁と、
前記野縁の上方で、前記野縁と交差して配置された野縁受けと、
前記野縁受けに取り付けられ前記野縁を支持するクリップと、
を備えることを特徴とする天井下地材。
【考案の詳細な説明】
【技術分野】
【０００１】
本考案は、建築用バー部材、及びこれを備える天井下地材に関する。
【背景技術】
【０００２】
従来から、建築物の天井パネル等を支持する天井下地材が知られている（例えば、非特許文献１参照）。非特許文献１に記載の天井下地材は、水平方向に延在し互いに交差して配置された野縁及び野縁受けを備え、野縁は、野縁受けに係止されたクリップによって上方から支持されている。野縁及び野縁受けの断面形状は、コ字状を成し、野縁は、その開放端部が上向きとなるように配置され、野縁受けは、その開放端部が横向きとなるように配置されている。また、野縁の開放端部には、内方へ屈曲されたリップ壁が形成されている。
【非特許文献１】日本規格協会、「建築用鋼製下地材（壁・天井）Ａ６５１７」
【考案の開示】
【考案が解決しようとする課題】
【０００３】
しかしながら、上記非特許文献１に記載の従来技術では、例えば、雨水、漏水等が、下地材の内面側に進入し帯水することで、バー部材（野縁）や、バー部材に固定された取り付け金具（例えば、ビス）等が腐食損傷するおそれがあった。
【０００４】
本考案は、このような課題を解決するために成されたものであり、バー部材の内面側での帯水を防止し、バー部材およびバー部材に固定された取り付け金具の腐食損傷を防止することを目的とする。
【課題を解決するための手段】
【０００５】
本考案による建築用バー部材は、建築物の壁または天井の鋼製下地材に使用されるバー部材であって、下側に配置される底板と、底板から上方へ立設された側板とを備え、少なくとも底板または側板の一方には、水抜き穴が形成されていることを特徴としている。
【０００６】
本考案による天井下地材は、上記の建築用バー部材部材である野縁と、当該野縁の上方で、野縁と交差して配置された野縁受けと、当該野縁受けに取り付けられ野縁を支持するクリップと、を備えることを特徴としている。
【０００７】
このような建築用バー部材、及びこれを備える天井下地材によれば、底板または側板に水抜き穴が形成されているため、建築用バー部材の内側に水が進入した場合であっても、水抜き穴を通じて好適に排水される。これにより、建築用バー部材の内面側における帯水を防止し、建築用バー部材およびこれに固定された取り付け金具の腐食損傷を防止することが可能となる。
【０００８】
また、水抜き穴は、底板と側板とのコーナー部に形成されていることが好ましい。このように、コーナー部に水抜き穴を形成することで、水の表面張力を小さくすることが可能であり、水抜き穴を通じた排水を促進させることができる。また、水の表面張力を小さくすることが可能であるため、水抜き穴を小さくしても、好適に排水を促すことができる。
【０００９】
また、水抜き穴は、側板の長手方向に沿って、等間隔で複数形成されていることが好ましい。これにより、水抜き穴の数量を目安として、建築用バー部材の長さを容易に把握することができる。また、水抜き穴の位置を目印とすることで、建築用バー部材に取り付けられるボード等の取り付け位置を容易に把握することができる。
【考案の効果】
【００１０】
本考案によれば、建築用バー部材の内面側での帯水を防止し、建築用バー部材およびこれに固定された取り付け金具の腐食損傷を防止することができる。
【考案を実施するための最良の形態】
【００１１】
以下、本考案による建築用バー部材、およびこれを備えた天井下地材の好適な実施形態について図面を参照しながら説明する。なお、図面の説明において、同一または相当要素には同一の符号を付し、重複する説明は省略する。また、説明の便宜上、野縁受けの延在方向（長手方向）をＸ軸方向、野縁の延在方向（長手方向）をＹ軸方向、Ｘ軸方向及びＹ軸方向に対して直交する方向をＺ軸方向として説明する。図１は、本考案の実施形態に係る天井下地材を示す斜視図である。
【００１２】
本考案の実施形態に係る天井下地材（鋼製下地材）１は、建築物の天井パネル（不図示）等を上方から支持するものであり、図１に示すように、天井パネル（ボード）が取付けられる野縁（建築用バー部材、例えば、ダブル野縁）２と、この野縁２の上方に配置されて野縁２を支持する野縁受け３と、野縁２を野縁受け３に対して係止させるクリップ（例えば、ダブルクリップ）４と、を備え、野縁２及び野縁受け３は、水平方向に延在し互いに直交する方向に延在している。
【００１３】
野縁２は、断面略コ字状を成し、Ｙ軸方向に延在するベース板（底板）２ａと、このベース板２ａの両側縁部から立設され互いに対面する一対の側壁（側板）２ｂ，２ｂと、この一対の側壁２ｂ，２ｂのベース板２ａとは反対側の端部（開放端部）２ｃ，２ｃから内方へ屈曲された一対のリップ壁２ｄ，２ｄと、を具備している。
【００１４】
野縁受け（チャンネル）３は、断面略コ字状を成し、Ｘ軸方向に延在する平板状のプレート部３ａと、このプレート部３ａの両側縁部からＹ軸方向に立設され互いに対面する一対の対面壁部３ｂ，３ｂと、を具備している。そして、野縁受け３は、野縁２上に配置され、野縁受け３の下側の対面壁部３ｂが野縁２に当接している。
【００１５】
クリップ４は、野縁受け３の上側の対面壁部３ｂの下方へ屈曲された係止爪と、野縁受け３の上側の対面壁部３ｂ上に配置された付け根部４ｂと、この付け根部４ｂから下方に屈曲されてＺ軸方向（上下方向）に延在するプレート部４ｃと、このプレート部４ｃの下部に形成され野縁２のリップ壁２ｄに係合される突起部４ｄとを備えている。
【００１６】
ここで、本実施形態の野縁２には、ベース板２ａと側壁２ｂとのコーナー部２ｆに、水抜き穴２ｇが形成されている。水抜き穴２ｇは、ベース板２ａ及び側壁２ｂを貫通し、野縁２内の水を外部に排出させるものである。この水抜き穴２ｇは、複数形成され、Ｙ軸方向（野縁２の長手方向）に沿って等間隔に配置されている。この水抜き穴２ｇは、例えばドリルによって加工されて形成される。
【００１７】
このような天井下地材１では、野縁２のベース板２ａと側壁２ｂとのコーナー部２ｆに、水抜き穴２ｇが形成されているため、野縁２の内側に水が進入した場合であっても、水抜き穴２ｇを通じて好適に排水することができる。これにより、野縁２の内面側における帯水を防止し、野縁２およびこれに固定された取り付け金具（例えばボードビス）の腐食損傷を防止することができる。その結果、野縁２の劣化、ボードビスの引き抜き強度の劣化を防止して、ボードの落下を防ぐことができる。
【００１８】
また、水抜き穴２ｇがベース板２ａと側壁２ｂとのコーナー部２ｆに形成されているため、水の表面張力を小さくすることが可能であり、水抜き穴２ｇを通じた排水を促進させることができる。また、水の表面張力を小さくして排水を促進させることができるため、水抜き穴２ｇを小さくすることができる。
【００１９】
また、水抜き穴２ｇは、野縁２の長手方向（Ｙ軸方向）に沿って、等間隔で複数形成されているため、水抜き穴２ｇの数を目安として、野縁２の長さを容易に把握することができる。また、水抜き穴２ｇの位置を目印とすることで、ボードの取り付け位置を容易に把握することができ、取り付け時の作業性を向上させることができる。
【００２０】
以上、本考案をその実施形態に基づき具体的に説明したが、本考案は、上記実施形態に限定されるものではない。上記実施形態において、水抜き穴２ｇは、底板２ａと側板２ｂとのコーナー部２ｆに形成されているが、水抜き穴２ｇは、底板２ａのみに形成されていてもよく、側板２ｂのみに形成されていてもよく、底板２ａ及び側板２ｂの両方に形成されていてもよい。また、水抜き穴２ｇは、等間隔に整列して形成されていなくてもよい。なお、水抜き穴２ｇは、帯水のおそれがある位置、排水させやすい位置に形成することが好ましい。
【００２１】
また、水抜き穴２ｇの形状は、円形に限定されず、例えば、楕円形、長穴、矩形、三角形等、その他の形状であってもよい。
【００２２】
また、建築用バー部材は、天井下地材１に使用されるバー部材である野縁２に限定されず、壁下地材に使用されるバー部材であってもよい。
【図面の簡単な説明】
【００２３】
【図１】本考案の実施形態に係る天井下地材を示す斜視図である。
【符号の説明】
【００２４】
１…天井下地材、２…野縁（建築用バー部材）、２ａ…ベース板（底板）、２ｂ…側壁（側板）、２ｆ…コーナー部、２ｇ…水抜き穴、３…野縁受け、４…クリップ。
【図１】
0003139913.tif 000003